(57)【要約】【課題】どこにいても情報を得た場所で十分な商品知識を入手して商品発注を容易に行う。【解決手段】購入者は商品に付された商品を特定する商品管理番号と販売センター端末２０のアドレスとをバーコード読み取り装置１３で読み取る。このアドレスを使用して携帯電話端末１０から販売センター端末２０へアクセスして商品管理番号を送出する。販売センター端末２０は、商品管理番号で特定される商品の情報を商品管理データベース２１から検索して携帯電話端末１０に送出する。購入する場合は配送先とクレジットカード番号を携帯電話端末１０から販売センター端末２０へ送出する。販売センター端末２０はクレジット決済されると、商品の引き取り番号を設定し、商品管理番号と配送先と引き取り番号とを配送センター端末３０へ送出し、引き取り番号を携帯電話端末１０へメール送信する。【選択図】　　　図１
2004102608.tif 000002
【特許請求の範囲】
【請求項１】
携帯電話端末と、商品管理データベースを有する販売センター端末と、前記携帯電話端末と前記販売センター端末とを接続するネットワークとを備え、前記携帯電話端末は、商品を特定する商品管理番号と前記販売センター端末のアドレスとを読み取る読み取り手段と、前記アドレスを使用して前記ネットワーク経由で前記販売センター端末へアクセスする手段と、前記商品管理番号を前記販売センター端末へ送出する手段と、購入商品の購入確定情報を前記販売センター端末へ送出する手段とを含み、前記販売センター端末は、前記商品管理番号を前記携帯電話端末から受信する手段と、前記商品管理番号で特定される商品の商品情報を前記商品管理データベースから検索して前記携帯電話端末に送出する手段とを含むことを特徴とする商品販売システム。
【請求項２】
さらに、前記ネットワークに接続された配送センター端末を備え、前記携帯電話端末は、前記購入商品の配送先情報を前記販売センター端末へ送出する手段を含み、前記販売センター端末は、前記購入商品の引き取り番号を設定する手段と、前記購入商品の商品管理番号と前記配送先情報と前記引き取り番号とを前記配送センター端末へ送出する手段と、前記引き取り番号を前記携帯電話端末へ送出する手段とを含むことを特徴とする請求項１記載の商品販売システム。
【請求項３】
さらに、前記ネットワークに接続された小売店端末を備え、前記販売センター端末は、前記購入商品の引き取り番号を設定する手段と、前記購入商品の商品管理番号と前記引き取り番号とを前記小売店端末へ送出する手段と、前記引き取り番号を前記携帯電話端末へ送出する手段とを含むことを特徴とする請求項１記載の商品販売システム。
【請求項４】
前記携帯電話端末は、小売店を特定する小売店識別情報を読み取る手段と、前記小売店識別情報を前記販売センター端末へ送出する手段とを含むことを特徴とする請求項３記載の商品販売システム。
【請求項５】
前記商品管理番号と前記アドレスとを紙面上にバーコード表示し、前記読み取り手段が前記携帯電話端末に内蔵されたバーコード読み取り装置であることを特徴とする請求項１、２、３または４記載の商品販売システム。
【請求項６】
商品を特定する商品管理番号と販売センター端末のアドレスとを携帯電話端末で読み取るステップと、前記アドレスを使用してネットワーク経由で前記販売センター端末へ前記携帯電話端末からアクセスするステップと、前記商品管理番号を前記携帯電話端末から前記販売センター端末へ送出するステップと、前記商品管理番号で特定される商品の商品情報を前記販売センター端末で商品管理データベースから検索して前記携帯電話端末に送出するステップと、購入商品の購入確定情報を前記携帯電話端末から前記販売センター端末へ送出するステップとを含むことを特徴とする商品販売方法。
【請求項７】
前記購入商品の配送先情報を前記携帯電話端末から前記販売センター端末へ送出するステップと、前記購入商品の引き取り番号を前記販売センター端末で設定するステップと、前記購入商品の商品管理番号と前記配送先情報と前記引き取り番号とを前記販売センター端末から配送センター端末へ送出するステップと、前記引き取り番号を前記販売センター端末から前記携帯電話端末へ送出するステップとを含むことを特徴とする請求項６記載の商品販売方法。
【請求項８】
前記購入商品の引き取り番号を前記販売センター端末で設定するステップと、前記購入商品の商品管理番号と前記引き取り番号とを前記販売センター端末から小売店端末へ送出するステップと、前記引き取り番号を前記販売センター端末から前記携帯電話端末へ送出するステップとを含むことを特徴とする請求項６記載の商品販売方法。
【請求項９】
小売店を特定する小売店識別情報を前記携帯電話端末が読み取るステップと、前記小売店識別情報を前記携帯電話端末から前記販売センター端末へ送出するステップとを含むことを特徴とする請求項８記載の商品販売方法。
【請求項１０】
前記商品管理番号と前記アドレスとを紙面上にバーコード表示し、前記携帯電話端末でバーコード読み取りを行うことを特徴とする請求項６、７、８または９記載の商品販売方法。
【請求項１１】
商品を特定する商品管理番号と販売センター端末のアドレスとを読み取る読み取り手段と、前記アドレスを使用してネットワーク経由で前記販売センター端末へアクセスする手段と、前記商品管理番号を前記販売センター端末へ送出する手段と、前記商品管理番号で特定される商品の商品情報を前記販売センター端末から受信する手段と、購入商品の購入確定情報を前記販売センター端末へ送出する手段とを含むことを特徴とする携帯電話端末。
【請求項１２】
前記読み取り手段は小売店を特定する小売店識別情報を読み取ることを特徴とする請求項１１記載の携帯電話端末。
【請求項１３】
コンピュータに請求項１１または１２記載の機能を実現させるためのプログラム。
【発明の詳細な説明】
【０００１】
【発明の属する技術分野】
本発明は商品販売システム、商品販売方法および商品販売用プログラムに関し、特に、ネットワークを介した商品販売システム、商品販売方法および商品販売用プログラムに関する。
【０００２】
【従来の技術】
従来より、バーコードデータは商品管理として広く利用されており、商品には必ずバーコードが付けられている。これらのデータは専用の読み取り装置で読み取られ、コンピュータにより情報処理され商品情報としてデータベース構築されている。消費者がこのバーコード情報を簡単に読み取ることが出来れば、その情報を利用し、あらゆる場所からアクセスすることが出来、オンライン販売が可能になる。
【０００３】
従来の商品販売システムは、商品カタログに記載されたバーコードを読み取ってオーダファイルを作成している（例えば、特許文献１参照。）。
【０００４】
【特許文献１】
特開２００２−４９７９５号公報（第５頁、図５）
【０００５】
【発明が解決しようとする課題】
上述した従来の商品販売システムは、オーダファイルを送信するために販売側サーバーのアドレスを調べてネットワーク接続する煩雑さがあるという問題点がある。
【０００６】
また、得られる商品情報は商品カタログに記載された内容に限定されるという問題点がある。
【０００７】
本発明の目的は、どこにいても情報を得た場所で十分な商品知識を入手して商品発注を容易に行うことのできる商品販売システム、商品販売方法および商品販売用プログラムを提供することにある。
【０００８】
【課題を解決するための手段】
本発明の商品販売システムは、携帯電話端末と、商品管理データベースを有する販売センター端末と、前記携帯電話端末と前記販売センター端末とを接続するネットワークとを備え、前記携帯電話端末は、商品を特定する商品管理番号と前記販売センター端末のアドレスとを読み取る読み取り手段と、前記アドレスを使用して前記ネットワーク経由で前記販売センター端末へアクセスする手段と、前記商品管理番号を前記販売センター端末へ送出する手段と、購入商品の購入確定情報を前記販売センター端末へ送出する手段とを含み、前記販売センター端末は、前記商品管理番号を前記携帯電話端末から受信する手段と、前記商品管理番号で特定される商品の商品情報を前記商品管理データベースから検索して前記携帯電話端末に送出する手段とを含むことを特徴とする。
【０００９】
本発明の商品販売システムは、さらに、前記ネットワークに接続された配送センター端末を備え、前記携帯電話端末は、前記購入商品の配送先情報を前記販売センター端末へ送出する手段を含み、前記販売センター端末は、前記購入商品の引き取り番号を設定する手段と、前記購入商品の商品管理番号と前記配送先情報と前記引き取り番号とを前記配送センター端末へ送出する手段と、前記引き取り番号を前記携帯電話端末へ送出する手段とを含むことを特徴としてもよい。
【００１０】
本発明の商品販売システムは、さらに、前記ネットワークに接続された小売店端末を備え、前記販売センター端末は、前記購入商品の引き取り番号を設定する手段と、前記購入商品の商品管理番号と前記引き取り番号とを前記小売店端末へ送出する手段と、前記引き取り番号を前記携帯電話端末へ送出する手段とを含むことを特徴としてもよい。
【００１１】
本発明の商品販売システムは、前記携帯電話端末は、小売店を特定する小売店識別情報を読み取る手段と、前記小売店識別情報を前記販売センター端末へ送出する手段とを含むことを特徴としてもよい。
【００１２】
本発明の商品販売システムは、前記商品管理番号と前記アドレスとを紙面上にバーコード表示し、前記読み取り手段が前記携帯電話端末に内蔵されたバーコード読み取り装置であることを特徴としてもよい。
【００１３】
本発明の商品販売方法は、商品を特定する商品管理番号と販売センター端末のアドレスとを携帯電話端末で読み取るステップと、前記アドレスを使用してネットワーク経由で前記販売センター端末へ前記携帯電話端末からアクセスするステップと、前記商品管理番号を前記携帯電話端末から前記販売センター端末へ送出するステップと、前記商品管理番号で特定される商品の商品情報を前記販売センター端末で商品管理データベースから検索して前記携帯電話端末に送出するステップと、購入商品の購入確定情報を前記携帯電話端末から前記販売センター端末へ送出するステップとを含むことを特徴とする。
【００１４】
本発明の商品販売方法は、前記購入商品の配送先情報を前記携帯電話端末から前記販売センター端末へ送出するステップと、前記購入商品の引き取り番号を前記販売センター端末で設定するステップと、前記購入商品の商品管理番号と前記配送先情報と前記引き取り番号とを前記販売センター端末から配送センター端末へ送出するステップと、前記引き取り番号を前記販売センター端末から前記携帯電話端末へ送出するステップとを含むことを特徴としてもよい。
【００１５】
本発明の商品販売方法は、前記購入商品の引き取り番号を前記販売センター端末で設定するステップと、前記購入商品の商品管理番号と前記引き取り番号とを前記販売センター端末から小売店端末へ送出するステップと、前記引き取り番号を前記販売センター端末から前記携帯電話端末へ送出するステップとを含むことを特徴としてもよい。
【００１６】
本発明の商品販売方法は、小売店を特定する小売店識別情報を前記携帯電話端末が読み取るステップと、前記小売店識別情報を前記携帯電話端末から前記販売センター端末へ送出するステップとを含むことを特徴としてもよい。
【００１７】
本発明の商品販売方法は、前記商品管理番号と前記アドレスとを紙面上にバーコード表示し、前記携帯電話端末でバーコード読み取りを行うことを特徴としてもよい。
【００１８】
本発明の携帯電話端末は、商品を特定する商品管理番号と販売センター端末のアドレスとを読み取る読み取り手段と、前記アドレスを使用してネットワーク経由で前記販売センター端末へアクセスする手段と、前記商品管理番号を前記販売センター端末へ送出する手段と、前記商品管理番号で特定される商品の商品情報を前記販売センター端末から受信する手段と、購入商品の購入確定情報を前記販売センター端末へ送出する手段とを含むことを特徴とする。
【００１９】
本発明の携帯電話端末は、前記読み取り手段は小売店を特定する小売店識別情報を読み取ることを特徴としてもよい。
【００２０】
本発明のプログラムは、コンピュータに請求項１１または１２記載の機能を実現させる。
【００２１】
【発明の実施の形態】
本発明の実施の形態について図面を参照して詳細に説明する。図１は本発明の第１の実施の形態の構成を示すブロック図である。
【００２２】
図１を参照すると、本発明の第１の実施の形態は、携帯電話端末１０と販売センター端末２０と配送センター端末３０と移動体ネットワーク網１００とインターネット網１１０とを含む。携帯電話端末１０は移動体ネットワーク網１００に接続され、販売センター端末２０と配送センター端末３０とはインターネット網１１０に接続されている。
【００２３】
携帯電話端末１０は、画面表示を行う表示部１１とデータ入力を行うための入力部１２とバーコード情報を読み取るバーコード読み取り装置１３とが内蔵されている。携帯電話端末１０は、移動体ネットワーク網１００を介してインターネット網１１０に接続し、表示部１１上に画像、文字及び音声を表示する機能を備えている。バーコード読み取り装置１３は、商品カタログや紙面広告等に記載された商品に付された商品バーコード情報を読み取る。商品バーコード情報には、商品管理番号、インターネット網１１０でアクセスするためのアドレス情報等が含まれる。携帯電話端末１０は、アドレス情報を元にインターネット接続を行い販売センター端末２０に接続し、商品管理番号等を送出する。
【００２４】
販売センター端末２０は、商品の販売者により管理され、ワークステーション、サーバー等の情報処理装置によって構成されている。販売センター端末２０は、内部または外部の記憶装置（図示せず）内に商品管理データベース２１を格納する。商品管理データベース２１は、商品管理番号をキーに商品情報を格納する。商品情報には、商品名、仕様、価格等が含まれる。販売センター端末２０は、購入者の携帯電話端末１０より送出された商品管理番号を受け取り、商品管理データベース２１からその商品管理番号に対応する商品情報を検索して携帯電話端末１０に送出する。また、購入する商品の決済で、購入者のクレジットカード情報の認証処理を信販会社にて行う機能、商品の配送先情報等を配送センター端末３０に送出する機能、及び購入者の携帯電話端末１０に商品の配送先情報、商品情報、引き取り番号等の情報を電子メールで送出する機能を有する。
【００２５】
販売センター端末２０は、購入者より携帯電話端末１０でインターネットアクセスされた際、アクセスＩＤ（ｉｄｅｎｔｉｆｉｃａｔｉｏｎ　ｎｕｍｂｅｒ）の登録を携帯電話端末１０に要求し、アクセスＩＤに対する記憶エリアを商品管理データベース２１に確保する。この記憶エリアは、携帯電話端末１０から販売センター端末２０に送出したデータ、購入者の携帯電話端末１０操作状態等が記憶される。購入者が携帯電話端末１０の操作中に通信が中断された場合、再接続時にアクセスＩＤを入力することで、この記憶エリアの情報を使用し操作状態を復旧させる機能を有する。
【００２６】
配送センター端末３０は、販売センター端末２０より、購入された商品の配送先情報、商品情報、引き取り番号等を受信する機能を有する。
【００２７】
次に、第１の実施の形態の動作について説明する。図２および図３は第１の実施の形態の動作を示すフローチャートである。
【００２８】
購入者は、自分の携帯電話端末１０のバーコード読み取り装置１３で紙面広告に掲載されている商品に付された商品バーコード情報を読み取り（ステップＡ１）、商品バーコード情報に含まれるインターネット接続先のアドレス情報を使用して、携帯電話端末１０を販売センター端末２０に接続させ、商品バーコード情報に含まれる商品管理番号を送出する（ステップＡ２）。
【００２９】
販売センター端末２０は、携帯電話端末１０から受信した商品管理番号にて商品管理データベース２１を検索し（ステップＡ３）、該当商品の商品情報を携帯電話端末１０に送出する。（ステップＡ４）。
【００３０】
購入者の携帯電話端末１０には、商品情報の画面（図４の画面１）が表示される（ステップＡ５）。商品情報の画面には商品の詳細な仕様や価格等が表示され、購入者は購入するか否かを判断するための情報を得ることができる。画面内容は１画面で表示できないものもある（以下の画面についても同様である。）。また、商品情報の画面で商品の購入、予約、取消のいずれかを選択することができる。画面１で［取消］を選択すると、商品情報の画面は消去され、バーコード読み取り状態に遷移する。
【００３１】
購入者は商品を予約する場合、商品情報の画面で［予約］を選択し、購入者のアクセスＩＤとともに販売センター端末２０に送出する（ステップＡ６）。
【００３２】
販売センター端末２０は、予約された商品の商品管理番号をアクセスＩＤと関連付けて商品管理データベース２１に一時的に記憶する（ステップＡ７）。さらに、販売センター端末２０は、予約完了データを携帯電話端末１０に送出し（ステップＡ８）、携帯電話端末１０は、予約完了画面を表示する（ステップＡ９）。これにより購入者は更に違う商品のバーコード情報を入力することが出来、複数の商品を一括に購入することが出来る。
【００３３】
商品情報の画面で［購入］を選択して販売センター端末２０に送出すると（ステップＡ１０）、販売センター端末２０は、商品管理データベース２１から購入者のアクセスＩＤに関連付けられた商品を検索し、購入予約状況画面を作成して携帯電話端末１０に送出する（ステップＡ１１）。
【００３４】
携帯電話端末１０には、購入予約状況画面（図４の画面２）が表示される（ステップＡ１２）。購入者は「確定」、「一部取消」、「全て取消」、「戻る」のいずれかを選択することができる（ステップＡ１３）。
【００３５】
携帯電話端末１０より「一部取消」を送出した場合、取り消しを行う商品の商品管理番号を設定する画面に遷移する。設定された取り消し商品の商品管理番号は販売センター端末２０に送出される。販売センター端末２０は取り消し商品の商品管理番号を受信すると、商品管理データベース２１上の購入者の購入予約の商品を保存したデータベースから該当する商品のデータを削除し、携帯電話端末１０に指定の商品を取り消した事を通知する情報を送出する。携帯電話端末１０は取り消した事を通知した情報を受信すると、携帯電話端末１０の表示部１１に取り消した事を表示し、画面２に遷移する。
【００３６】
携帯電話端末１０より「全て取消」を選択した場合、販売センター端末２０に「全て取消」データが送出される。販売センター端末２０は「全て取消」を受信すると、商品管理データベース２１上の購入者の購入予約の商品を保存したデータベースを全て削除し、携帯電話端末１０に全て取り消した事を通知する情報を送出する。携帯電話端末１０は全て取り消した事を通知した情報を受信すると、携帯電話端末１０の表示部１１に取り消した事を表示し、商品のバーコード情報読み取りに遷移する。
【００３７】
携帯電話端末１０より「戻る」を選択した場合、画面１に戻る。
【００３８】
購入者が商品の購入を行う場合は、「確定」を選択すると、携帯電話端末１０から販売センター端末２０へ確定データが送出される（ステップＡ１４）。
【００３９】
販売センター端末２０は、購入の確定を受けた時点で、商品の配送手続きを行う為の入力画面を送出する（ステップＡ１５）。
【００４０】
購入者の携帯電話端末１０には、配送先情報の入力画面（図４の画面３）が表示され（ステップＡ１６）、配送先の入力を行って販売センター端末２０へ送出する（ステップＡ１７）。
【００４１】
販売センター端末２０は、配送先情報を受けると、販売センター端末２０の商品管理データベース２１に記憶し（ステップＡ１８）、配送先手続き確認画面を携帯電話端末１０に送出する（ステップＡ１９）。
【００４２】
購入者の携帯電話端末１０には、配送手続き確認画面（図５の画面４）が表示される（ステップＡ２０）。画面４では、あらかじめ登録されているお客様情報（住所等）が表示される。配送先などを変更したい場合はここで入力し直す。問題なければそのまま「確定」を押して確定データを販売センター端末２０に送出する（ステップＡ２１）
販売センター端末２０は、配送先手続きの確定を受けると、商品の購入手続きを行う為のクレジットカード情報の入力画面を購入者の携帯電話端末１０に送出する（ステップＡ２２）。
【００４３】
購入者の携帯電話端末１０には、クレジットカード情報の入力画面（図５の画面５）が表示され（ステップＡ２３）、各データの入力を行い、確定データを販売センター端末２０に送出する（ステップＡ２４）。
【００４４】
販売センター端末２０は、購入者のクレジットカード情報を受けるとカード認証のため、信販会社にアクセスを行う（ステップＡ２５）。
【００４５】
販売センター端末２０は、クレジットカードによる決済を完了した時点で、購入した商品情報、購入者情報、購入方法、購入日、引き取り番号、配送先情報等を配送センター端末３０に送出する（ステップＡ２６）。また、携帯電話端末１０へ決済完了画面を送出する（ステップＡ２７）。携帯電話端末１０の表示部１１には決済完了画面（図５の画面６）が表示される（ステップＡ２８）。配送センター端末３０は、販売センター端末２０からのデータを受信して、指定された商品を指定された配送先へ配送するよう配送指示を行う（ステップＡ２９）。
【００４６】
販売センター端末２０は、購入者の携帯電話端末１０に電子メールにて、購入した商品の引き取り番号、商品の決済情報等を送出する（ステップＡ３０）。購入したものと違う商品が届いた場合、商品引き取り番号で照合を行う事で商品の交換が可能となる。
【００４７】
次に、本発明の第２の実施の形態について説明する。図６は、第２の実施の形態の構成を示すブロック図である。図６を参照すると、配送センター端末３０の代わりに小売店端末４０が含まれることが第１の実施の形態と異なる。第２の実施の形態は、小売店で商品を購入する場合についてである。この場合、第１の実施の形態とは違い小売店にて現物商品を引き取る事になる為、購入商品の情報を小売店端末４０に送出する必要がある。そのため、商品に付されるバーコード情報に、小売店を識別する情報、小売店で販売している商品であるかないかの情報が必要となる。
【００４８】
以下、第１の実施の形態と異なる点を中心に説明する。購入者は、自分の携帯電話端末１０で小売店にて商品に付いている商品バーコード情報を読み取り（ステップＢ１）、商品バーコード情報に含まれるインターネット接続先のアドレス情報を使用して、携帯電話端末１０を販売センター端末２０のサーバーに接続させ、商品バーコード情報に含まれる商品管理番号と小売店識別情報とを送出する（ステップＢ２）。
【００４９】
ステップＢ３からステップＢ１４までは、第１の実施の形態のステップＡ３からステップＡ１４までと同じである。第１の実施の形態のステップＡ１５からステップＡ２１までは、第２の実施の形態では不要である。ステップＢ１５からステップＢ１８までは第１の実施の形態のステップＡ２２からステップＡ２５までと同じである。
【００５０】
販売センター端末２０は、クレジットカードによる決済を完了した時点で、小売店識別情報をもとに、購入した商品情報、購入者情報、購入方法、購入日、引き取り番号等を小売店端末４０に送出する（ステップＢ１９）。小売店端末４０は、これを画面表示する（ステップＢ２０）。また、販売センター端末２０は、携帯電話端末１０へ決済完了画面を送出する（ステップＢ２１）。携帯電話端末１０の表示部１１には決済完了画面（図５の画面６）が表示される（ステップＢ２２）。
【００５１】
販売センター端末２０は、購入者の携帯電話端末１０に電子メールにて、購入した商品の引き取り番号、商品の決済情報等を送出する（ステップＢ２３）。購入者が引き取り番号を小売店のカウンターで提示すると、小売店側は、小売店端末４０で引き取り番号を照合して商品を購入者に引き渡す。
【００５２】
第２の実施の形態では、購入者は商品情報を販売員から得る必要がなくなるため、販売員の少ない小売店でも好きなときに情報を得ることが出来、また販売員の介在なしで商品を購入することができる。小売店側も、商品知識を得ておく必要がなく、少数の販売員で対応できるという効果がある。
【００５３】
なお、第１および第２の実施の形態では、購入者用端末として携帯電話端末を使用する例を説明したが、携帯電話端末に限定されるものではなく、たとえば、ＰＤＡ（ｐｅｒｓｏｎａｌ　ｄｉｊｉｔａｌ　ａｓｓｉｓｔａｎｔ）と称される携帯情報端末、あるいはノート型等のパーソナルコンピュータであってもよい。この場合、移動体ネットワーク網１００は不要になることもある。また、商品管理番号、販売センター端末アドレス等の表示は、バーコードに限定されるものではなく、たとえば、ＯＣＲ（ｏｐｔｉｃａｌ　ｃｈａｒａｃｔｅｒ　ｒｅａｄｅｒ）文字であって、ＯＣＲ文字読み取り可能な装置で読み取るようにしてもよい。
【００５４】
本発明の第１および第２の実施の形態の携帯電話端末１０の動作はコンピュータ・プログラム処理により行わせることが可能である。すなわち、記録媒体に記録したプログラムを携帯電話端末１０に読み込ませるか、あるいは、ネットワークからコンピュータ・プログラムを携帯電話端末１０に読み込ませて、実施の形態で説明した動作を実行させる。
【００５５】
【発明の効果】
本発明による第１の効果は、購入者は、購入場所を限定されることなく、どこでも十分商品情報を入手してから商品の購入が可能になることである。例えば、通信販売を目的とする特定の雑誌だけでなく、情報雑誌や新聞など、あらゆる紙面広告情報にバーコードを掲載させておく事で、購入者は情報を得た場所で必要な商品情報を入手して購入することが出来るようになる。
【００５６】
第２の効果は、バーコード情報にアドレス情報を含ませる事で、従来より簡単にインターネットアクセスできることである。これは、指定のホームページへのアクセス量を多くすることにつながる。例えば、街頭チラシや街頭張り紙等の安い広告費でも宣伝効果が上がる効果が見込まれる。従って、販売側の広告宣伝の手間を削減し、広告宣伝費を低くする効果もある。
【図面の簡単な説明】
【図１】第１の実施の形態の構成を示すブロック図である。
【図２】第１の実施の形態の動作を示すフローチャートである。
【図３】第１の実施の形態の動作を示すフローチャートである。
【図４】携帯電話端末の表示部に表示される画面例を示す図である。
【図５】携帯電話端末の表示部に表示される画面例を示す図である。
【図６】第２の実施の形態の構成を示すブロック図である。
【図７】第２の実施の形態の動作を示すフローチャートである。
【図８】第２の実施の形態の動作を示すフローチャートである。
【符号の説明】
１０　　携帯電話端末
１１　　表示部
１２　　入力部
１３　　バーコード読み取り装置
２０　　販売センター端末
２１　　商品管理データベース
３０　　配送センター端末
４０　　小売店端末
１００　　移動体ネットワーク網
１１０　　インターネット網
【図１】
2004102608.tif 000003
【図２】
2004102608.tif 000004
【図３】
2004102608.tif 000005
【図４】
2004102608.tif 000006
【図５】
2004102608.tif 000007
【図６】
2004102608.tif 000008
【図７】
2004102608.tif 000009
【図８】
2004102608.tif 000010